(57)【要約】【課題】廃棄書類を投函するセキュリティポストの低コスト化を図る。【解決手段】セキュリティポスト１は、投函口１４が形成された側面１２を有する紙製の外箱１０と、この外箱１０内に収納されて投函口２４が形成された側面２２を有する紙製の内箱２０と、内箱底面２１を外箱底面１１から浮き上がらせて投函口１４、２４同士が連通するようにスリット１５、２５を通じて連結する連結具３０とを備える。投函口１４、２４からの廃棄書類Ｐの投函にともなって連結具３０に所定の荷重がかかると、連結具３０は破断して内箱２０が外箱１０内で落下し、投函口１４、２４の連通が断たれる。ポスト１全体を紙製としたので、従来の金属製等のポストと比べて低コスト化が図られる。ポスト１ごと再生紙への再生処理を行えるため、手間もかからない。投函口１４、２４の連通が断たれると、ポスト１を破壊することなしに書類Ｐを取り出せなくなるため、簡単な構造で秘密が保持される。【選択図】図３
2009161265.tif 000002
【特許請求の範囲】
【請求項１】
底面と、この底面に連設され廃棄書類の投函口が形成された側面と、開閉可能な天面と、を有する紙製の外箱と、
この外箱内に収納され、底面と、この底面に連設され廃棄書類の投函口が形成された側面と、を有する紙製の内箱と、
この内箱の底面を前記外箱の底面から浮き上がらせ、内箱と外箱の前記投函口が連通するように内箱を外箱に対して連結する連結具と、を備え、
この連結具に所定の荷重がかかると、内箱を外箱内で落下させて前記内箱と外箱の投函口の連通を断つように形成したセキュリティポスト。
【請求項２】
前記連結具は、前記所定の荷重がかかると破断することにより、前記内箱を外箱内で落下させる請求項１に記載のセキュリティポスト。
【請求項３】
前記連結具は、前記所定の荷重がかかると曲がることにより、前記内箱を外箱内で落下させる請求項１に記載のセキュリティポスト。
【請求項４】
前記外箱と内箱とは、それぞれの側面にスリットを有し、
このスリットが連通した状態で、連結具を差し込むことにより、内箱は外箱に対して連結された請求項１から３のいずれかに記載のセキュリティポスト。
【請求項５】
前記スリットに差し込まれる連結具は、
スリットの内外を挿通し、前記所定の荷重がかかると破断する差し込み部と、
この差し込み部の前記外箱外の端部に連設される外側抜け止め部と、
この差し込み部の前記内箱内の両側から張り出し、差し込み部と重なり合う向きに回動可能であり、かつ重なり合いから離反する向きへの反発力を有する内側抜け止め部と、から構成される請求項４に記載のセキュリティポスト。
【発明の詳細な説明】
【技術分野】
【０００１】
この発明は、廃棄書類を収納して運搬するためのセキュリティポストに関する。
【背景技術】
【０００２】
会社等から出る廃棄書類は、記載された情報が外部に漏洩しないように、シュレッダー等で文字、図、表等を視認できない状態にまで、細分されるのが通常である。
しかし、廃棄書類をこのように細分化すると、その紙繊維が細かく切断されるため、再生紙として利用できなくなり、廃棄または焼却処分するほかなかった。
このことは、資源の有効利用に反する結果となる。
【０００３】
そこで、投函口が設けられた金属製や合成樹脂製のセキュリティポストを会社等に設置し、その内部に紙製の内ケースか袋を入れ、セキュリティポストの投函口を通じてこれらケースか袋に廃棄書類を貯めておく試みがなされている。
このセキュリティポストは、鍵で施錠されており開錠しない限り投函された廃棄書類を外部から看取したり、取り出したりできないようになっている。
紙製の内ケースを用いた場合にはシール材で封緘し、このシール材として剥がすと跡が残って剥がしたことがわかるタイプのものを用いているため、廃棄書類の機密性が確保されている。
そして、このセキュリティポストを回収業者が定期的に点検し、廃棄書類が一定程度貯まるとシール材を剥がして、廃棄書類が収納された紙製の内ケースや袋を回収することになっている。
したがって、記載された情報が外部に漏洩しないしくみとなっており、かつ廃棄書類はその紙繊維が切断されていない状態であるため、再生紙として再利用可能でもある。
【発明の開示】
【発明が解決しようとする課題】
【０００４】
しかし、金属製や合成樹脂製のセキュリティポストを会社等に設置するとなると、コストかかる。
そこで、この発明の解決すべき課題は、セキュリティポストについて低コスト化をはかることである。
【課題を解決するための手段】
【０００５】
上記した課題を解決するため、発明にかかるセキュリティポストを、底面と、この底面に連設され廃棄書類の投函口が形成された側面と、開閉可能な天面と、を有する紙製の外箱と、この外箱内に収納され、底面と、この底面に連設され廃棄書類の投函口が形成された側面と、を有する紙製の内箱と、この内箱の底面を前記外箱の底面から浮き上がらせ、内箱と外箱の前記投函口が連通するように内箱を外箱に対して連結する連結具と、を備えるものとしたのである。
そしてこの連結具に所定の荷重がかかると、内箱を外箱内で落下させて前記内箱と外箱の投函口の連通を断つように形成したのである。
【０００６】
セキュリティポスト全体を紙製としたので、従来の金属製や合成樹脂製のポストと比べて低コスト化が図られる。
また、廃棄書類を収納した状態のまま、ポストごと再生紙への再生処理を行えるため、手間もかからない。
そして、廃棄書類がポストの内箱内に一定程度貯まると、連結具に荷重がかかって内箱を外箱内で落下させて前記内箱と外箱の投函口の連通を断つため、ポストを破壊することなしに廃棄書類を取り出せなくなるため、廃棄書類の秘密性も簡単な構造で保持されている。
【０００７】
前記連結具は、前記所定の荷重がかかると破断するか、前記所定の荷重がかかると曲がるかして、前記内箱を外箱内で落下させるようにするのが簡易である。
【０００８】
外箱と内箱の連結は、それぞれの側面にスリットを設け、このスリットが連通した状態で、連結具を差し込むことによるのが簡易である。
【０００９】
この場合に、連結具として、スリットの内外を挿通し、所定の荷重がかかると破断する差し込み部と、この差し込み部の外箱外の端部に連設される外側抜け止め部と、この差し込み部の内箱内の両側から張り出し、差し込み板と重なり合う向きに回動可能であり、かつ重なり合いから離反する向きへの反発力を有する内側抜け止め部と、から構成するのが好ましい。
【００１０】
内側抜け止め部を回動させて差し込み部に重ねあわせた状態でスリットを通すと、スリット挿通後に内側抜け止め部は反発力によって自動的に差し込み部から離反するため、連結具はスリットの内外いずれの方向にも抜け止め状態となる。
したがって、連結具を破壊することなくセキュリティポストを開くことができなくなるため、廃棄書類の情報が漏洩する可能性が一層少なくなる。
【発明の効果】
【００１１】
セキュリティポストの紙製の内箱と外箱の投函口が連通するように連結しておき、所定の荷重がかかると内箱を外箱内で落下させて投函口の連通を断つように形成したので、廃棄書類の秘密性が確保されつつ、ポストの低コスト化が図られ、再生処理の容易化が図られる。
【発明を実施するための最良の形態】
【００１２】
図１から図３に示すように、実施形態のセキュリティポスト１は、外箱１０と、外箱１０内に収納される内箱２０と、外箱１０と内箱２０を連結する連結具３０と、外箱１０の天面１３を封緘する封緘具４０とから構成される。
【００１３】
図２のように、外箱１０は、矩形の底面１１と、底面１１の四辺から立ち上がる側面１２と、側面１２の上縁に連続する開閉自在の天面１３とからなる。
側面１２には廃棄書類Ｐの投函口１４が形成され、投函口１４の下方には側スリット１５が形成されている。
【００１４】
この外箱１０は段ボール等の紙製であって、図４（ｂ）のようなブランクを組み立てることにより作製される。
このブランクは、折り目線を介して一方向に並列して連設される４枚の側板１２ａと、折り目線を介して側板の一側縁に連設される継代１２ｂと、折り目線を介して各側板１２ａの上縁に交互に連設される各２枚の上内板１３ａと上外板１３ｂと、折り目線を介して各側板１２の下縁に交互に連設される各２枚の底内板１１ａと底外板１１ｂからなる。
【００１５】
組立の際には、まず側板１２ａ間の折り目線で側板１２ａを四角筒状に折り曲げ、継代１２ｂを貼り付けて四角筒状態に固定して側面１２を形成する。
次いで側板１２ａとの境界の折り目線で底外板１１ｂと底内板１１ａを折り曲げ、底外板１１ｂと底内板１１ａとを組み上げて底面１１を形成する。
さらに側板１２ａとの境界の折り目線で上内板１３ａ、上外板１３ｂの順に折り曲げて重ね合わせて開閉自在の天面１３を形成する。
なお、各上外板１３ｂには、前記折り重ねた際に連通する位置に上スリット１６がそれぞれ形成されている。
【００１６】
図２のように、内箱２０は、矩形の底面２１と、底面２１の四辺から立ち上がる側面２２と、閉鎖された天面２３とからなる。
側面２２には廃棄書類Ｐの投函口２４が形成され、投函口２４の下方には側スリット２５が形成されている。
【００１７】
この内箱２０は段ボール等の紙製であって、図４（ａ）のようなブランクを組み立てることにより作製される。
このブランクは、折り目線を介して一方向に並列して連設される４枚の側板２２ａと、折り目線を介して側板２２ａの一側縁に連設される継代２２ｂと、折り目線を介して各側板２２ａの下縁に交互に連設される各２枚の底内板２１ａと底外板２１ｂと、折り目線を介して各側板２２ａの上縁に交互に連設される各２枚の上内板２３ａと上外板２３ｂとからなる。
【００１８】
組立の際には、まず側板２２ａ間の折り目線で側板２２ａを四角筒状に折り曲げ、継代２２ｂを貼り付けて四角筒状態に固定して側面２２を形成する。
次いで側板２２ａとの境界の折り目線で底外板２１ｂと底内板２１ａを折り曲げ、組み上げて底面を形成する。
さらに、側板２２ａとの境界の折り目線で上内板２３ａ、上外板２３ｂの順に折り曲げて重ね合わせて天面２３を形成する。
上内板２３ａに形成された差し込み口に、上外板２３ｂに形成された差し込み片が差し込まれることで、天面２３は閉鎖状態となる。
【００１９】
ここで、内箱２０の底面２１は外箱１０の底面１１とほぼ相似形であってやや小さく、内箱２０の側面２２の高さは外箱１０の側面１２の高さよりも小さくなっている。
また、内箱２０の側面２２の投函口２４から側スリット２５までの距離は、外箱１０の側面１２の投函口１４の下端から側スリット１５までの距離とほぼ等しくなっている。
【００２０】
したがって、図１および図３のように、外箱１０内に内箱２０を収納すると、外箱１０の側面１２の内面と内箱２０の側面２２の外面とはほぼ接した状態となる。
そして、外箱１０の投函口１４と内箱２０の投函口２４および外箱１０の側スリット１５と内箱２０の側スリット２５が連通するようにすると、内箱２０の底面２１は外箱１０の底面１１から浮き上がった状態になる。
この状態で、側スリット１５、２５に連結具３０が差し込まれることにより、外箱１０と内箱２０とはその投函口１４、２４が連通した状態で連結される。
また、外箱１０の天面１３の上スリット１６にも封緘具４０が差し込まれることにより、開閉自在であった天面１３が閉鎖される。
【００２１】
図５（ｂ）および（ｃ）のように、連結具３０は、側スリット１５、２５や上スリット１６の内外を挿通する差し込み部３１と、差し込み部３１の外箱１０外の両側から張り出す外側抜け止め部３２と、差し込み部３１の内箱２０内の両側から張り出す内側抜け止め部３３とからなり、段ボール等の紙製である。
この内側抜け止め部３３は、差し込み部３１と重なり合う向きに回動可能であり、かつ重なり合いから離反する向きへの反発力を有している。
【００２２】
ここでこの連結具３０は、その差し込み部３１に所定の荷重がかかると破断するように調整されている。
この調整はたとえば、段ボール等の材質の種類や厚み、あるいは差し込み部３１の幅を調節することにより行われる。
また、内外側の抜け止め部３２、３３間の距離は、内箱２０と外箱１０の合計厚みにほぼ相当するように調整されているため、図３（ａ）のように、連結時に外側抜け止め部３２が外箱１０の外面にほぼ当接した状態となり、内側抜け止め部が内箱２０の内面にほぼ当接した状態となり、外箱１０と内箱２０との間にがたつきが生じないようになっている。
【００２３】
この連結具３０は段ボール等の紙製であって、図５（ａ）のようなブランクを組み上げることにより作製される。
このブランクは、折り目線を介して連設された相似形の矩形の差し込み板３１ａと、各差し込み板３１ａの内端の両側に連設される相似形の外側抜け止め板３２ａと、各差し込み板３１ａの外端の両側に折り目線を介して連設された相似形の内側抜け止め板３３ａとからなる。
【００２４】
差し込み板３１ａ間の折り目線を折り曲げて、差し込み板３１ａ同士を重ね合わせて差し込み部３１を形成し、同時に外側抜け止め板３２ａを重ね合わせて外側抜け止め部３２を形成し、内側抜け止め板３３ａを重ね合わせて内側抜け止め部３３を形成する。
図５（ｂ）のように、内側抜け止め部３３を形成する重ね合わせられた内側抜け止め板３３ａは折り目線で互いに離反する向きに回動可能になっている。
【００２５】
したがって、図２のように、内側抜け止め部３３をなす内側抜け止め板３３ａを離反する方向に回動させて差し込み部３１に重ねあわせた状態で側スリット１５、２５を通すと、スリット挿通後に内側抜け止め板３３ａは反発力によって自動的に差し込み部３１から離反するため、図１のように、連結具３０は側スリット１５、２５の内外いずれの方向にも抜け止め状態となる。
【００２６】
また、封緘具４０として、特開２００６−２１４５６８号公報記載の封緘具（詳しくは当該公報の図１等を参照。）を用いている。
その差し込み部や内側抜け止め部の構成は連結具３０と同様であり、その外側抜け止め部が差し込み部に対して垂直に連設されている点が異なる。
連結具３０と同様に、内側抜け止め部を差し込み部に重ねあわせた状態で上スリット１６を通すと、上スリット１６挿通後に内側抜け止め部は反発力によって自動的に差し込み部から離反する。
そのため、この封緘具４０を破壊することなしに、外箱１０を開封できなくなる。
【００２７】
実施形態のセキュリティポスト１は以上の構成からなり、その投函口１４、２４から廃棄書類Ｐを順次投函すると、図３（ａ）のように、内箱２０内に廃棄書類Ｐが積み重なって貯まってゆく。
内箱２０内への廃棄書類Ｐの収容量が所定量を超えると、連結具３０にかかる荷重が前記所定の大きさを超えるため、連結具３０の差し込み部３１が図３（ｂ）のようにほぼ真ん中で破断する。
【００２８】
連結具３０が破断すると、図３（ｂ）のように、内箱２０は外箱１０内でスライドするようにして落下し、これにより内箱２０の投函口２４の位置が下方にずれるため、外箱１０の投函口１４との連通が断たれる。
したがって、投函口１４、２４が閉止され、それ以上セキュリティポスト１に廃棄書類Ｐを投函することができなくなる。
また、投函口１４、２４を通じて内部の書類Ｐを取り出そうとすることも不可能となるため、機密性も保持される。
なお、連結具３０の破断部分は、図３のように外箱１０と内箱２０の境界上に位置しているため、内箱２０の落下時に連結具３０が引っかかることがなく、スムーズな落下を実現できる。
【００２９】
ここで連結具３０は、廃棄書類Ｐの秘密性の問題から、すくなくとも内箱２０内に収納された廃棄書類Ｐの山が投函口１４、２４に達するまでに破断するように、すなわち投函口１４、２４を通じて内部の書類Ｐを取り出せないように調整しておく必要がある。
【００３０】
セキュリティポスト１がこのように外箱１０と内箱２０の連結が断たれた状態となると、回収業者がポスト１を回収して、ポスト１ごと廃棄書類Ｐを再生紙とするための再生処理が行われる。
再生処理の際に分別等の手間が要らず、また廃棄書類Ｐの紙繊維が切断されていないため、良質の再生紙を製造することができる。
【００３１】
ここで外箱１０と内箱２０を連結する連結具３０は、実施形態に限られず、封緘具４０と同様のものを用いてもよい。
すなわち、外側抜け止め部３２は、差し込み部３１の外端に差し込み部の板面に対して垂直となるように連設してもよい（特開２００６−２１４５６８号公報参照）。
【００３２】
また、連結具３０を金属製とし、所定の荷重がかかると下方に曲がり、これにより内箱２０を外箱１０内で落下させて投函口１４、２４の連通を断つ構成を採用してもよい。
なお、外箱１０の天面１３の閉止は封緘具４０によらずともよく、連結具３０やテープ等で封緘してもよい。
【００３３】
連結具３０による外箱１０と内箱２０の連結の位置は実施形態に限定されず、たとえば、投函口１４、２４よりも上で連結してもよい。
また、連結具３０の数も実施形態に限定されず、たとえば１つでもよい。
【００３４】
また外箱１０の天面１３は、外箱１０と一体でなくともよく、たとえば蓋とし、この蓋を外箱本体に着脱することで天面１３を開閉可能としてもよい。
内箱２０は、上内板２３ａ、上外板２３ｂを省略して、天面２３は常時開放状態としてもよい。
【００３５】
外箱１０、内箱２０の形状は実施形態に限られず、たとえば円筒型、六角筒型、八角筒型としてもよい。
なお、連結具３０にポスト１の担当者の捺印を押して、担当者以外は連結具３０に触れられないようにしておくと、機密性が一層保たれる。
【図面の簡単な説明】
【００３６】
【図１】セキュリティポストの斜視図
【図２】セキュリティポストの分解斜視図
【図３】（ａ）は外箱と内箱の連結時の、（ｂ）は外箱と内箱の連結が断たれた時のセキュリティポストの縦断面図
【図４】（ａ）は内箱の展開図、（ｂ）は外箱の展開図
【図５】（ａ）は連結具の展開図、（ｂ）および（ｃ）は連結具の斜視図
【符号の説明】
【００３７】
１  セキュリティポスト
１０  外箱
１１  底面
１１ａ  底内板
１１ｂ  底外板
１２  側面
１２ａ  側板
１２ｂ  継代
１３  天面
１３ａ  上内板
１３ｂ  上外板
１４  投函口
１５  側スリット
１６  上スリット
２０  内箱
２１  底面
２１ａ  底内板
２１ｂ  底外板
２２  側面
２２ａ  側板
２２ｂ  継代
２３  天面
２３ａ  上内板
２３ｂ  上外板
２４  投函口
２５  側スリット
３０  連結具
３１  差し込み部
３１ａ  差し込み板
３２  外側抜け止め部
３２ａ  外側抜け止め板
３３  内側抜け止め部
３３ａ  内側抜け止め板
４０  封緘具
Ｐ  廃棄書類
【図１】
2009161265.tif 000003
【図２】
2009161265.tif 000004
【図３】
2009161265.tif 000005
【図４】
2009161265.tif 000006
【図５】
2009161265.tif 000007